(57)【要約】【課題】  従来の撮影装置では、撮影装置のディスク記録装置の温度上昇に伴い、データを記録する処理速度が低下する。【解決手段】  ＣＰＵ２により、温度センサ９ａ、９ｂの観測結果からＡＳＩＣ８ａ、８ｂのうちの温度の低い一方のみが所定のタイミングで動作させられる。このため、従来の撮影装置のように、装置の温度上昇に伴って処理を間欠的に行うことで処理速度が低下することもなく、低温な一方のＡＳＩＣ８ａ、８ｂが継続して画像処理を行うため、ＡＳＩＣ８ａ、８ｂの温度上昇による処理速度の低下を防ぐことができる。また、低温のＡＳＩＣ８が選択されて動作させられるため、温度の高いＡＳＩＣ８が継続して動作することで生じる発熱により、消費電力の損失が増加するのが極力低減され、また、ＡＳＩＣ８ａ、８ｂの故障が発生することを防ぐことができる。【選択図】  図２
2011010019.tif 000002
【特許請求の範囲】
【請求項１】
被写体を撮像する撮像手段と、
前記撮像手段により撮像された画像に対して同じ画像処理をする第１および第２の画像処理回路チップと、
前記第１および第２の画像処理回路チップの各温度を観測する温度センサと、
前記温度センサの観測結果から前記第１および第２の画像処理回路チップのうちの温度の低い一方のみを所定のタイミングで動作させる制御手段と
を備える撮影装置。
【請求項２】
請求項１に記載の撮影装置において、
前記所定のタイミングは、前記撮影装置に動作電源を供給する電源スイッチがオンにされた時、前記撮影装置の所定部分が動作していないスリープ状態が解除されて前記撮影装置が起動した時、または、前記撮影装置の所定のスイッチがオンにされた時である
ことを特徴とする撮影装置。
【請求項３】
請求項１または請求項２に記載の撮影装置において、
前記第１および第２の画像処理回路チップで画像処理された各画像を一時記憶する一時記憶手段を備え、
前記制御手段は、前記一時記憶手段に記憶された一枚の画像を記憶媒体に記憶させた後に、前記温度センサの観測結果から前記第１および第２の画像処理回路チップのうちの温度の低い一方のみを動作させる
ことを特徴とする撮影装置。
【請求項４】
請求項３に記載の撮影装置において、
前記制御手段は、前記第１および第２の画像処理回路チップの両方を連続的に動作させて前記一時記憶手段に記憶させた画像処理された各画像を全て前記記憶媒体に記憶させた後に、前記温度センサの観測結果から前記第１および第２の画像処理回路チップのうちの温度の低い一方のみを動作させる
ことを特徴とする撮影装置。
【発明の詳細な説明】
【技術分野】
【０００１】
本発明は、撮像手段により撮像された画像に対して画像処理をする画像処理回路チップを備えた撮影装置に関する。
【背景技術】
【０００２】
従来、この種の撮影装置としては、例えば、特許文献１に開示された撮影装置がある。この撮影装置は、ディスク記録装置およびその温度変化を検出する温度検出手段を備えている。簡易フォーマットでディスク記録装置に記録したデータを標準フォーマットに準拠して記録し直すファイナライズ処理をする際、温度検出手段で検出されたディスク記録装置の温度が所定の範囲を超えると、連続的な記録による温度上昇を避けるため、ファイナライズ処理におけるデータのディスク記録装置への再記録は、記録期間と記録停止期間とを周期的に繰り返す間欠記録に切り換えられて行われる。この切り換えにより、平均記録転送レートが制限されて、ディスク記録装置の温度上昇が抑えられている。
【先行技術文献】
【特許文献】
【０００３】
【特許文献１】特開２００３−２８１７３３号公報
【発明の概要】
【発明が解決しようとする課題】
【０００４】
しかしながら、特許文献１に開示された従来の撮影装置では、撮影装置のディスク記録装置の温度が規定以上の温度になった場合、ファイナライズ処理におけるデータの再記録処理は、上記のように、記録期間と記録停止期間とを周期的に繰り返す間欠記録に切り換えられる。このため、ディスク記録装置の温度上昇に伴い、データを記録する処理速度が低下する。
【課題を解決するための手段】
【０００５】
本発明はこのような課題を解決するためになされたもので、
被写体を撮像する撮像手段と、
撮像手段により撮像された画像に対して同じ画像処理をする第１および第２の画像処理回路チップと、
第１および第２の画像処理回路チップの各温度を観測する温度センサと、
温度センサの観測結果から第１および第２の画像処理回路チップのうちの温度の低い一方のみを所定のタイミングで動作させる制御手段とを備えて撮影装置を構成した。
【０００６】
本構成によれば、制御手段により、温度センサの観測結果から第１および第２の画像処理回路チップのうちの温度の低い一方のみが所定のタイミングで動作させられる。このため、従来の撮影装置のように、装置の温度上昇に伴って処理を間欠的に行うことで処理速度が低下することもなく、低温な一方の画像処理回路チップが継続して画像処理を行うため、画像処理回路チップの温度上昇による処理速度の低下を防ぐことができる。また、低温の画像処理回路チップが選択されて動作させられるため、温度の高い画像処理回路チップが継続して動作することで生じる発熱により、消費電力の損失が増加するのが極力低減され、また、画像処理回路チップの故障が発生することを防ぐことができる。また、温度センサの観測結果から所定のタイミングで、一方のみの画像処理回路チップが動作させられるので、２つの画像処理回路チップが同時に動作させられる場合に比べて消費電力が低減し、省電力化が図れる。
【０００７】
また、本発明は、所定のタイミングが、撮影装置に動作電源を供給する電源スイッチがオンにされた時、撮影装置の所定部分が動作していないスリープ状態が解除されて撮影装置が起動した時、または、撮影装置の所定のスイッチがオンにされた時であることを特徴とする。
【０００８】
本構成によれば、撮影装置に動作電源を供給する電源スイッチがオンにされた時、撮影装置の所定部分が動作していないスリープ状態が解除されて撮影装置が起動した時、または、撮影装置の所定のスイッチがオンにされた時に、制御手段により、温度センサの観測結果から第１および第２の画像処理回路チップのうちの温度の低い一方のみが動作させられる。このため、撮影動作が必要とされるこれらの所定のタイミングで、温度の低い一方の画像処理回路チップのみが動作させられるため、画像処理回路チップの発熱を極力抑えることができ、また、消費電力の低減化が一層図れる。
【０００９】
また、本発明は、第１および第２の画像処理回路チップで画像処理された各画像を一時記憶する一時記憶手段を備え、
制御手段は、一時記憶手段に記憶された一枚の画像を記憶媒体に記憶させた後に、温度センサの観測結果から第１および第２の画像処理回路チップのうちの温度の低い一方のみを動作させることを特徴とする。
【００１０】
本構成によれば、制御手段により、一時記憶手段に記憶された一枚の画像を記憶媒体に記憶させた後に、温度センサの観測結果から第１および第２の画像処理回路チップのうちの温度の低い一方のみが動作させられる。このため、一時記憶手段に記憶された一枚の画像を記憶媒体に記憶させる処理が完遂した後に、温度の低い一方の画像処理回路チップが動作させられ、画像を記憶媒体に記憶させる処理の途中に動作させる画像処理回路チップが切り換えられてしまうことにより、画像を記憶媒体に記憶させる処理が途中で中断して誤動作が発生することを防ぐことができる。
【００１１】
また、本発明は、制御手段が、第１および第２の画像処理回路チップの両方を連続的に動作させて一時記憶手段に記憶させた画像処理された各画像を全て記憶媒体に記憶させた後に、温度センサの観測結果から第１および第２の画像処理回路チップのうちの温度の低い一方のみを動作させることを特徴とする。
【００１２】
本構成によれば、制御手段により、第１および第２の画像処理回路チップの両方を連続的に動作させて一時記憶手段に記憶させた各画像を全て記憶媒体に記憶させた後に、温度センサの観測結果から第１および第２の画像処理回路チップのうちの温度の低い一方のみが動作させられる。このため、第１および第２の画像処理回路チップの両方を連続的に動作させた処理の終了後に、継続して、第１および第２の画像処理回路チップの両方が動作して、画像処理回路チップの発熱が大きくなったり、消費電力が増大するのを防ぐことができる。
【発明の効果】
【００１３】
本発明による撮影装置によれば、上記のように、低温な一方の画像処理回路チップが継続して画像処理を行うため、画像処理回路チップの温度上昇による処理速度の低下を防ぐことができる。また、低温の画像処理回路チップが選択されて動作させられるため、温度の高い画像処理回路チップが継続して動作することで生じる発熱により、消費電力の損失が増加するのが極力低減され、また、画像処理回路チップの故障が発生することを防ぐことができる。また、温度センサの観測結果から所定のタイミングで、一方のみの画像処理回路チップが動作させられるので、２つの画像処理回路チップが同時に動作させられる場合に比べて消費電力が低減し、省電力化が図れる。
【図面の簡単な説明】
【００１４】
【図１】本発明の一実施の形態によるデジタルカメラの電気回路構成の概略を示すブロック図である。
【図２】図１に示すデジタルカメラのＡＳＩＣで行われる処理の概略を示すフローチャートである。
【発明を実施するための形態】
【００１５】
次に、本発明による撮影装置をデジタルカメラ１に適用した場合における一実施の形態について説明する。
【００１６】
図１は、この一実施の形態によるデジタルカメラ１の電気回路構成の概略を示すブロック図である。
【００１７】
デジタルカメラ１は、ＣＰＵ（Central Processing Unit）２、ＥＥＰＲＯＭ（Electrically Erasable Programmable Ｒead Ｏnly Ｍemory）などで構成される不揮発性メモリ３、およびＲＡＭ（Random Access Memory）などで構成されるバッファメモリ４ａ、４ｂを備えている。不揮発性メモリ３には、ＣＰＵ２が種々の制御を行う際に参照される制御プログラムなどが格納されている。ＣＰＵ２は、不揮発性メモリ３に格納されている制御プログラムに従い、バッファメモリ４ａ、４ｂを一時記憶作業領域として回路各部の制御を行い、デジタルカメラ１の種々の装置機能を作動させる。
【００１８】
被写体からの光は、光学系を構成するレンズ５を介してデジタルカメラ１内に取り込まれる。デジタルカメラ１内に取り込まれた被写体光は、撮像部６の撮像面６ａ上に被写体像を投影する。撮像部６は、ＣＣＤ（Charge Coupled Device）やＣＭＯＳ（Complementary Metal Oxide Semiconductor）などからなり、撮像部６の撮像面６ａ上に結像した被写体像は、アナログの撮像信号に変換される。撮像部６は、被写体を撮像する撮像手段を構成する。変換された撮像信号は、Ａ／Ｄ変換部７においてデジタル信号に変換される。ＡＳＩＣ（Application Specific Integrated Circuit）８ａ、８ｂは、Ａ／Ｄ変換部７でデジタル信号に変換された撮像信号をバス９を介して取得し、取得した撮像信号に対して、ホワイトバランス処理やガンマ補正などの画像処理を行い、撮影された画像の画像データを生成する。ＡＳＩＣ８ａ、８ｂは、それぞれＣＰＵを備えており、撮像部６により撮像された画像に対して同じ画像処理をする第１および第２の画像処理回路チップを構成する。各ＡＳＩＣ８ａ、８ｂには、それぞれ温度を観測する温度センサ９ａ、９ｂが接続されている。また、温度センサ９ａ、９ｂはＣＰＵ２にも接続されており、観測した温度センサ９ａ、９ｂの各温度をＣＰＵ２に伝える。なお、温度センサ９ａ、９ｂは温度によって抵抗が決まるサーミスタなどで構成してもよい。ＡＳＩＣ８ａ、８ｂによって生成された画像データは、ＣＰＵ２により、圧縮処理が施されて各ＡＳＩＣ８ａ、８ｂに対応する各バッファメモリ４ａ、４ｂに格納されると共に、Ｉ／Ｆ部１０を介して、図示しないスロットに着脱される、記憶媒体を構成するメモリカード１１に記録される。バッファメモリ４ａ、４ｂは、ＡＳＩＣ８ａ、８ｂで画像処理された各画像を一時記憶する一時記憶手段を構成する。
【００１９】
ＣＰＵ２には、シャッターボタン１２が接続されている。シャッターボタン２は、半押しスイッチおよび全押しスイッチから構成され、半押しされて半押しスイッチがオンするとオートフォーカス（Auto Focus）機能が作動し、全押しされて全押しスイッチがオンすると、撮像部６に被写体光が露光されて、被写体像の撮像信号が生成される。また、背面モニタ１３には、撮像部６の撮像面６ａで撮像される被写体像がスルー画として表示され、撮影者はこのスルー画で構図を確認する。また、デジタルカメラ１は、オンにされると各回路に動作電源を供給する図示しない電源スイッチを備えている。
【００２０】
ＣＰＵ２は、温度センサ９ａ、９ｂの観測結果からＡＳＩＣ８ａ、８ｂのうちの温度の低い一方のみを所定のタイミングで動作させる制御手段を構成する。ここで、所定のタイミングとは、デジタルカメラ１の所定のスイッチ、本実施形態ではシャッターボタン１２の半押しスイッチがオンにされた時である。
【００２１】
図２は、デジタルカメラ１のＣＰＵ２によって行われるＡＳＩＣ選択処理の概略を示すフローチャートである。
【００２２】
ＣＰＵ２は、ステップ（以下、Ｓと記す）１において、上述した画像処理を実行するに際して、第１、第２のＡＳＩＣ８ａ、８ｂが共に必要であるか否かを判別する。例えば、動画撮影や連写撮影時等の、画像処理が大量に必要とされる場合には、第１および第２のＡＳＩＣ８ａ、８ｂが共に必要とされる。この場合、Ｓ１の判別が“ＹＥＳ”になり、ＣＰＵ２は、ＡＳＩＣ８ａ、８ｂを共に稼働させて、ＡＳＩＣ選択処理を終了する。
【００２３】
一方、必要とされる画像処理が少量である場合には、第１および第２のＡＳＩＣ８ａ、８ｂが共に必要とされず、Ｓ１の判別が“ＮＯ”になってＳ２の処理が行われる。ＣＰＵ２は、Ｓ２において、所定のタイミングであるか否か、つまり、シャッターボタン２の半押しスイッチがオンにされて単写撮影が開始されるタイミングであるか否かを判別する。半押しスイッチがオンにされず、所定のタイミングではなく、Ｓ２の判別が“ＮＯ”の場合、ＣＰＵ２は、再びＳ１の判別を行う。一方、半押しスイッチがオンにされてＳ２の判別が“ＹＥＳ”である場合、次に、ＣＰＵ２は、Ｓ３において、ＡＳＩＣ８ａ、８ｂの温度を温度センサ９ａ、９ｂによって計測する。次に、ＣＰＵ２は、Ｓ４において、第１のＡＳＩＣ８ａが第２のＡＳＩＣ８ｂよりも温度が低いか否かを判別する。第１のＡＳＩＣ８ａが第２のＡＳＩＣ８ｂよりも温度が低く、Ｓ４の判別が“ＹＥＳ”の場合、ＣＰＵ２は、Ｓ５において、温度の低い第１のＡＳＩＣ８ａを選択して動作させ、第２のＡＳＩＣ８ｂを停止させる。一方、第２のＡＳＩＣ８ｂが第１のＡＳＩＣ８ａよりも温度が低く、Ｓ４の判別が“ＮＯ”の場合、ＣＰＵ２は、Ｓ６において、温度の低い第２のＡＳＩＣ８ｂを選択して動作させ、第１のＡＳＩＣ８ａを停止させる。その後、ＣＰＵ２は、再びＳ１の処理に戻り、上記の各処理を繰り返す。
【００２４】
このような本実施形態によるデジタルカメラ１によれば、ＣＰＵ２により、温度センサ９ａ、９ｂの観測結果から第１および第２のＡＳＩＣ８ａ、８ｂのうちの温度の低い一方のみが所定のタイミングで動作させられる。このため、従来の撮影装置のように、装置の温度上昇に伴って処理を間欠的に行うことで処理速度が低下することもなく、低温な一方のＡＳＩＣ８ａ、８ｂが継続して画像処理を行うため、ＡＳＩＣ８ａ、８ｂの温度上昇による処理速度の低下を防ぐことができる。また、低温のＡＳＩＣ８ａまたは８ｂが選択されて動作させられるため、温度の高いＡＳＩＣ８ａまたは８ｂが継続して動作することで生じる発熱により、消費電力の損失が増加するのが極力低減され、また、ＡＳＩＣ８ａ、８ｂの故障が発生することを防ぐことができる。また、温度センサ９ａ、９ｂの観測結果から所定のタイミングで、一方のみのＡＳＩＣ８ａまたは８ｂが動作させられるので、２つのＡＳＩＣ８ａ、８ｂが同時に動作させられる場合に比べて消費電力が低減し、省電力化が図れる。
【００２５】
また、本実施形態によるデジタルカメラ１によれば、シャッターボタン２の半押しスイッチがオンにされた時に、ＣＰＵ２により、温度センサ９ａ、９ｂの観測結果から第１および第２のＡＳＩＣ８ａ、８ｂのうちの温度の低い一方のみが動作させられる。このため、撮影動作が必要とされる、シャッターボタン２が半押しされるタイミングで、温度の低い一方のＡＳＩＣ８ａまたは８ｂのみが動作させられるため、ＡＳＩＣ８ａ、８ｂの発熱を極力抑えることができ、また、消費電力の低減化が一層図れる。
【００２６】
なお、本実施形態では、シャッターボタン２の半押しスイッチがオンにされた時に、ＣＰＵ２により、温度センサ９ａ、９ｂの観測結果から第１および第２のＡＳＩＣ８ａ、８ｂのうちの温度の低い一方のみが動作させられる構成であったが、デジタルカメラ１に動作電源を供給する電源スイッチがオンにされた時、または、デジタルカメラ１の所定部分が動作していないスリープ状態が解除されてデジタルカメラ１が起動した時に、ＣＰＵ２により、温度センサ９ａ、９ｂの観測結果から第１および第２のＡＳＩＣ８ａ、８ｂのうちの温度の低い一方のみが動作させられる構成であってもよい。この構成によっても、撮影動作が必要とされる所定のタイミングで、温度の低い一方のＡＳＩＣ８ａまたは８ｂのみが動作させられるため、ＡＳＩＣ８ａ、８ｂの発熱を極力抑えることができ、また、消費電力の低減化が一層図れて、上記実施形態と同様な作用効果が奏される。
【００２７】
また、いずれかの、または双方のバッファメモリ４ａ、４ｂに記憶された一枚の画像をメモリカード１１に記憶させた後に、温度センサ９ａ、９ｂの観測結果から第１および第２のＡＳＩＣ８ａ、８ｂのうちの温度の低い一方のみを動作させる構成であってもよい。この構成によれば、バッファメモリ４ａ、４ｂに記憶された一枚の画像をメモリカード１１に記憶させる処理が完遂した後に、温度の低い一方のＡＳＩＣ８ａまたは８ｂが動作させられ、画像をメモリカード１１に記憶させる処理の途中に動作させるＡＳＩＣ８ａ、８ｂが切り換えられてしまうことにより、画像をメモリカード１１に記憶させる処理が途中で中断して誤動作が発生することを防ぐことができる。
【００２８】
また、第１および第２のＡＳＩＣ８ａ、８ｂの両方を連続的に動作させてバッファメモリ４ａ、４ｂに記憶させた画像処理された各画像を全てメモリカード１１に記憶させた後に、温度センサ９ａ、９ｂの観測結果から第１および第２のＡＳＩＣ８ａ、８ｂのうちの温度の低い一方のみを動作させる構成であってもよい。この構成によれば、ＡＳＩＣ８ａ、８ｂの両方を連続的に動作させた処理の終了後に、継続して、第１および第２のＡＳＩＣ８ａ、８ｂの両方が動作して、ＡＳＩＣ８ａ、８ｂの発熱が大きくなったり、消費電力が増大するのを防ぐことができる。
【産業上の利用可能性】
【００２９】
上記実施形態においては、本発明の撮影装置をデジタルカメラに適用した場合について説明したが、ビデオカメラや、携帯電話機等に内蔵されるカメラ等のその他の撮影装置にも適用することが可能である。このような撮影装置に本発明を適用した場合においても、上記実施形態と同様な作用効果が奏される。
【符号の説明】
【００３０】
１…デジタルカメラ
２…ＣＰＵ
４ａ、４ｂ…バッファメモリ
６…撮像部
８ａ、８ｂ…ＡＳＩＣ
９ａ、９ｂ…温度センサ
１１…メモリカード
１２…シャッターボタン
【図１】
2011010019.tif 000003
【図２】
2011010019.tif 000004